(57)【要約】      （修正有）【課題】立華の決り事に沿う形の枝を活ける事を可能にし、花を活けた筒を容易に安定可能にし、水の入れ換えの際の労力を軽減できる立華用具を提供する。【解決手段】立華の中心の幹に金属製の円筒の棒状の支柱を固定し、更に花を活けるための筒を取り付けるための金属製の円筒の棒状より一回り大きな筒状の金具をネジ１で固定し、そこに平らな棒状の器具を接続する。立華に必要な枝の角度並びに位置を自在にする事が可能になる。また、直真あるいは軒真などの真がある幹棒に円筒状の受筒を取り付け、その受筒の中に剣山もしくは保水材が仕込まれている一回り小さな円錐状の筒を出し入れ自由な状態で仕込むことにより、約束事に沿う活け方が可能になる。【選択図】図１
0003184643.tif 000002
【実用新案登録請求の範囲】
【請求項１】
立華の中心の幹に金属製の円筒の棒状の支柱を固定し、更に花を活けるための筒を取り付けるための金属製の円筒の棒状より一回り大きな筒状の金具をネジで固定し、そこに平らな棒状の器具を接続して使用する事によって立華に必要な枝の角度並びに位置を自在にする事を可能にする、立華用具
【請求項２】
円筒形の受け筒の中に、剣山もしくは保湿剤オアシス等を装着した一回り小さい円錐形の活け筒を入れる事によって、立華の決り事に沿う形の枝を活ける事を可能にし、花を活けた筒を容易に安定可能にし、簡単に取り外すことが可能となり、水の入れ換えの際の労力を軽減することができる、立華用具。
【考案の詳細な説明】
【技術分野】
【０００１】
本考案は、伝統的幹づくり立花に必要な役枝を極めて短時間に形造る為の器具である。
【背景技術】
【０００２】
立華式の佛華で、立華の中心の幹に金属製の円筒の棒状の支柱を固定し、更に花を活けるための筒を取り付けるための円筒の棒状より一回り大きな筒状の金具をネジで固定し、そこに金属製の平らな棒状の器具を接続して使用する事によって立華に必要な枝の角度並びに位置を自在にする事を可能になり、又円筒形の受け筒の中に、剣山もしくは保湿剤オアシス等を装着した一回り小さい円錐形活け筒を入れる事によって、立華の決り事に沿う形の枝を活ける事を可能にし、花を活けた筒を容易に安定可能にし、簡単に取り外すことが可能となり、水の入れ換えの際の労力を軽減することができる佛華用具に関するものである。
【考案の概要】
【考案が解決しようとする課題】
【０００３】
従来、立華式の仏華は直真あるいは軒真がある幹棒に受筒が取り付けられ、正真・流枝等の役枝を作って立華の約束事に遵って取り付け、色花を挿し立てるのであるが、技術を充分習得した者でないと立てることが出来なかったのであり、立てられたとしても時間を沢山必要として美しく立てるのはなかなか困難なことであり、華瓶ごと持ち上げて前卓等の上に上げなくてはならず、重くて大変な労力を必要とし、又受筒の水を取り換えたりすることは立て替えるかチューブ状が取り付けられているようなポンプで換えるしかなく大変面倒であり、受筒にカップが仕込まれていても、花が安定しない等の問題があった。
【課題を解決するための手段】
【０００４】
立華の中心の幹に金属製の円筒の棒状の支柱を固定し、更に花を活けるための筒を取り付けるための円筒の棒状より一回り大きな筒状の金具をネジで固定し、そこに金属製の平らな棒状の器具を接続して使用する事によって立華に必要な枝の角度並びに位置を自在にする事を可能になり、直真あるいは軒真などの真がある幹棒に円筒状の受筒が取り付けられ、その受筒の中には剣山もしくはオアシス等の保水材が仕込まれている一回り小さな円錐状筒が出し入れ自由な状態で仕込まれ、正真・流枝・控・副・請・前置などの役枝を立華の約束事に遵って予め配置し、色花や役枝を幹棒に取り付けられている受筒に挿し入れるだけで立てられるようにすることにより上記課題を解決することが出来るのである。
【考案の効果】
【０００５】
立華の中心の幹に金属製の円筒の棒状の支柱を固定し、更に花を活けるための筒を取り付けるための金属製の円筒の棒状より穂と回り大きな筒状の金具をネジで固定し、そこに金属製の平らな棒状の器具を接続して使用する事によって立華に必要な枝の角度並びに位置を自在にする事を可能になり、直真あるいは軒真などの真がある幹棒に円筒状の受筒が取り付けられ、その受筒の中には剣山もしくはオアシス等の保水材が仕込まれた一回り小さな円錐状の筒が、出し入れ自由な状態で入れられ、正真・流枝・控・副・請・前置などの役枝を立華の約束事に遵って予め配置し、色花を幹棒に取り付けられている、剣山もしくはオアシス等の保水材等が仕込まれた受筒に挿し入れるだけで立てられるようにすることにより簡単に美しく立てられるようになり、受筒の水の入れ換えも立て替えたりポンプ等を用いずとも容易に入れ換えができるようになるのである。
【図面の簡単な説明】
【０００６】
【図１】金属製の筒状の棒に今回開発の金具を取り付けている図である。
【図２】金具に平らな棒状の角度の付いた金具を取り付けられている図である。
【図３】平らな棒状金属に円筒状の受け筒が取り付けられた図である。
【図４】円筒状の受け筒の中に円錐状の活け筒を入れている図である。
【図５】活け筒の中に剣山もしくはオアシスが取り付けられている断面図である。
【図６】金属製の棒に金具及び平らな棒が取り付けられている断面図である。
【図７】金具に受け筒並びに活け筒が取り付けられている断面図である。
【図８】円筒状の受け筒に円錐状の活け筒が取り付けられている断面図である。
【考案を実施するための形態】
【０００７】
以下、本考案の実施の形態について図面をもとに説明する。  図１は本考案にかかわる立華の中心の幹に金属製の円筒の棒状の支柱を固定し、更に花を活けるための筒を取り付けるための金属製の円筒の棒状より一回り大きな筒状の金具をネジで固定し、そこに平らな棒状の器具を接続して使用する事によって立華に必要な枝の角度並びに位置を自在にする事を可能となることを示したもので、図２は直真あるいは軒真などの真がある幹には円筒状の受筒が取り付けられていることを示したもので、図３は円筒状の受筒に剣山もしくはオアシス等の保水材が仕込まれたひと周り小さな円錐状の筒が出し入れ自由な状態で仕込まれるところを示しているのである。
【実施例】
【０００８】
図１は金属製の筒状の棒に金具を取り付けている図であるが、これにより好きな高さ及び方向に取り付ける事を可能にした。
図2は金具に平らな棒状の金具を取り付ける事により好きな角度に筒や朴を取り付ける事を可能にした。
図3は平らな棒状の金具に受け筒を取り付ける事により水の入った活け筒を好きな高さや方向更には角度に取り付ける事を可能にした。
図4は円筒形の受け筒の中に円錐形の活け筒を入れることにより、花を活けた状態の筒を取り付け安定化を容易にした。
図５は活け筒の中に剣山又はオアシスなどの保湿剤を入れることで角度の付いた活け筒にも花を安定化させる事を可能にした。
図６は金具並びに平らな棒状の金具を取り付けた断面図であるが好きな高さと角度更には活け筒の大きさも自在に変化させる事を可能にした。
図７は円筒状の受け筒に剣山及びオアシスなどの保湿剤を入れた円錐状の活け筒を入れた断面図であるがこれにより活け筒が容易に安定させる事を可能にさせた事が解る。
【産業上の利用可能性】
【０００９】
全国の浄土真宗寺院並びに生花の業界業界にも販路拡大の可能性を有する。
【符号の説明】
【００１０】
１  金属製の棒に金具を取り付けている図である。
２  金具に平らな棒状の金属を取り付けた図である。   
３  円筒状の受筒を取り付けた図である。 
４  受け筒の中に一回り小さな円錐状筒の活け筒を入れた図である。
５  活け筒の中に剣山もしくはオアシスなどの保湿剤を入れた図である。
６  筒や金具を好きな角度に取り付けている図である。
７  円筒状の受け筒を取り付けている図である。 
８  受け筒に剣山もしくはオアシスなどの保湿剤を入れた活け筒を円錐状の活け筒を入れて安定化させている図である。
【図１】
0003184643.tif 000003
【図２】
0003184643.tif 000004
【図３】
0003184643.tif 000005
【図４】
0003184643.tif 000006
【図５】
0003184643.tif 000007
【図６】
0003184643.tif 000008
【図７】
0003184643.tif 000009
【図８】
0003184643.tif 000010
【手続補正書】
【提出日】平成25年5月1日(2013.5.1)
【手続補正１】
【補正対象書類名】実用新案登録請求の範囲
【補正対象項目名】全文
【補正方法】変更
【補正の内容】
【実用新案登録請求の範囲】
【請求項１】
立花の中心の幹に金属製の円筒の棒状のし支柱を固定し、更に花を活けるための筒を取り付けるための金属製の円筒の棒状より一回り大きな筒状の金具をネジで固定し、そこに平らな棒状の器具を接続して使用する事によって立花に必要な枝の角度並びに位置を自在にする事を可能にし、そこに円筒形の受け筒の中に剣山もしくは保湿剤オアシス等を装着した一回り小さな円錐形の活け筒を入れることによって立花の決まりごとに沿う形で枝を活ける事や役枝をも取り付けることが可能になり活ける作業に加えて水の入れ替えなどの作業も軽減することが出来る立花用具である。